(57)【特許請求の範囲】
【請求項１】
ワイヤレス通信デバイスであって、
特定の時間および周波数リソースを介してワイヤレス送信を受信するように適合された受信回路であって、前記ワイヤレス送信は、直交ワイヤレス通信に関連付けられる第1のタイプの変調を採用した前記特定の時間および周波数リソース上の第1のワイヤレスデバイスからの第1のデータ信号と、非直交アンダーレイワイヤレス通信に関連付けられる第2のタイプの変調を採用した前記特定の時間および周波数リソース上の第2のワイヤレスデバイスからの第2のデータ信号とを含み、前記第2のデータ信号は、前記第1のワイヤレスデバイスからの前記第1のデータ信号よりも持続時間において長い、受信回路と、
前記ワイヤレス送信を獲得するために前記受信回路に結合されたデコーダであって、前記第1のデータ信号および前記第2のデータ信号を復号するように適合されている、デコーダと、を備えるワイヤレス通信デバイス。
【請求項２】
前記第1のデータ信号は、直交ワイヤレス通信に関連付けられる前記第1のタイプの変調のために直交周波数分割多重化(OFDM)変調を採用し、
前記第2のデータ信号は、非直交アンダーレイワイヤレス通信に関連付けられる前記第2のタイプの変調のために符号分割多重化(CDM)変調を採用する、請求項1に記載のワイヤレス通信デバイス。
【請求項３】
前記第1のデータ信号および第2のデータ信号は、シンボルレベル同期型またはシンボルレベル非同期型のいずれかである、請求項1に記載のワイヤレス通信デバイス。
【請求項４】
前記第1のデータ信号および第2のデータ信号は、送信時間間隔(TTI)レベル同期型またはTTIレベル非同期型のいずれかである、請求項1に記載のワイヤレス通信デバイス。
【請求項５】
前記受信回路は、前記第1のデータ信号と直交多重化された第3のワイヤレスデバイスからの第3のデータ信号をさらに受信する、請求項1に記載のワイヤレス通信デバイス。
【請求項６】
前記第2のデータ信号に関連付けられる送信電力は、前記第1のデータ信号に関連付けられる送信電力よりも低い、請求項1に記載のワイヤレス通信デバイス。
【請求項７】
前記第1のデータ信号および前記第2のデータ信号を復号するように適合された前記デコーダは、
前記第2のデータ信号を雑音として扱いつつ前記第1のデータ信号を復号し、
前記ワイヤレス送信から前記復号された第1のデータ信号を差し引き、
前記第1のデータ信号のない前記ワイヤレス送信から前記第2のデータ信号を復号するように適合された前記デコーダを含む、請求項1に記載のワイヤレス通信デバイス。
【請求項８】
ワイヤレス通信デバイス上で動作可能な方法であって、
特定の時間および周波数リソースブロックを介してワイヤレス送信を受信するステップであって、前記ワイヤレス送信は、直交ワイヤレス通信に関連付けられる第1のタイプの変調を採用した前記特定の時間および周波数リソース上の第1のワイヤレスデバイスからの第1のデータ信号と、非直交ワイヤレス通信に関連付けられる第2のタイプの変調を採用した前記特定の時間および周波数リソース上の第2のワイヤレスデバイスからの第2のデータ信号とを含み、前記第2のデータ信号は、前記第1のワイヤレスデバイスからの前記第1のデータ信号よりも持続時間において長い、ステップと、
前記第1のデータ信号および前記第2のデータ信号を復号するステップと、を含む方法。
【請求項９】
前記第1のデータ信号は、直交ワイヤレス通信に関連付けられる前記第1のタイプの変調のために直交周波数分割多重化(OFDM)変調を採用し、
前記第2のデータ信号は、非直交アンダーレイワイヤレス通信に関連付けられる前記第2のタイプの変調のために符号分割多重化(CDM)変調を採用する、請求項8に記載の方法。
【請求項１０】
前記第1のデータ信号および第2のデータ信号は、シンボルレベル同期型またはシンボルレベル非同期型のいずれかである、請求項8に記載の方法。
【請求項１１】
前記第1のデータ信号および第2のデータ信号は、送信時間間隔(TTI)レベル同期型またはTTIレベル非同期型のいずれかである、請求項8に記載の方法。
【請求項１２】
前記第1のデータ信号と直交多重化された第3のワイヤレスデバイスからの第3のデータ信号を受信するステップをさらに含む、請求項8に記載の方法。
【請求項１３】
前記第2のデータ信号に関連付けられる送信電力は、前記第1のデータ信号に関連付けられる送信電力よりも低い、請求項8に記載の方法。
【請求項１４】
前記第1のデータ信号および前記第2のデータ信号を復号するステップは、
前記第2のデータ信号を雑音として扱いつつ前記第1のデータ信号を復号するステップと、
前記ワイヤレス送信から前記復号された第1のデータ信号を差し引くステップと、
前記第1のデータ信号のない前記ワイヤレス送信から前記第2のデータ信号を復号するステップと、を含む、請求項8に記載の方法。
【請求項１５】
ワイヤレス通信デバイスであって、
特定の時間および周波数リソースブロックを介してワイヤレス送信を受信するための手段であって、前記ワイヤレス送信は、直交ワイヤレス通信に関連付けられる第1のタイプの変調を採用した前記特定の時間および周波数リソース上の第1のワイヤレスデバイスからの第1のデータ信号と、前記第1のデータ信号よりも持続時間において長い、前記特定の時間および周波数リソース上の第2のワイヤレスデバイスからの第2のデータ信号であって、第2のデータ信号は、非直交ワイヤレス通信に関連付けられる第2のタイプの変調を採用する、第2のデータ信号とを含む、受信するための手段と、
前記第1のデータ信号および前記第2のデータ信号を復号するための手段とを備えるワイヤレス通信デバイス。
【請求項１６】
前記第1のデータ信号は、直交ワイヤレス通信に関連付けられる前記第1のタイプの変調のために直交周波数分割多重化(OFDM)変調を採用し、
前記第2のデータ信号は、非直交アンダーレイワイヤレス通信に関連付けられる前記第2のタイプの変調のために符号分割多重化(CDM)変調を採用する、請求項15に記載のワイヤレス通信デバイス。
【請求項１７】
前記第1のデータ信号と直交多重化された第3のワイヤレスデバイスからの第3のデータ信号を受信するための手段をさらに備える、請求項15に記載のワイヤレス通信デバイス。
【請求項１８】
前記第2のデータ信号に関連付けられる送信電力は、前記第1のデータ信号に関連付けられる送信電力よりも低い、請求項15に記載のワイヤレス通信デバイス。
【請求項１９】
前記第1のデータ信号および前記第2のデータ信号を復号するための手段は、
前記第2のデータ信号を雑音として扱いつつ第1のデータ信号を復号するための手段と、
前記ワイヤレス送信から前記復号された第1のデータ信号を差し引くための手段と、
前記第1のデータ信号のない前記ワイヤレス送信から前記第2のデータ信号を復号するための手段と、を含む、請求項15に記載のワイヤレス通信デバイス。
【請求項２０】
処理回路に、
特定の時間および周波数リソースブロックを介してワイヤレス送信を受信することであって、前記ワイヤレス送信は、直交ワイヤレス通信に関連付けられる第1のタイプの変調を採用した前記特定の時間および周波数リソース上の第1のワイヤレスデバイスからの第1のデータ信号と、前記第1のデータ信号よりも持続時間において長い、前記特定の時間および周波数リソース上の第2のワイヤレスデバイスからの第2のデータ信号であって、第2のデータ信号は、非直交ワイヤレス通信に関連付けられる第2のタイプの変調を採用する、第2のデータ信号とを含む、受信することと、
前記第1のデータ信号および前記第2のデータ信号を復号することとを行わせるためのプロセッサ実行可能プログラミングを記憶するプロセッサ可読記憶媒体。
【請求項２１】
前記第1のデータ信号は、直交ワイヤレス通信に関連付けられる前記第1のタイプの変調のために直交周波数分割多重化(OFDM)変調を採用し、
前記第2のデータ信号は、非直交アンダーレイワイヤレス通信に関連付けられる前記第2のタイプの変調のために符号分割多重化(CDM)変調を採用する、請求項20に記載のプロセッサ可読記憶媒体。
【請求項２２】
処理回路に、前記第1のデータ信号と直交多重化された第3のワイヤレスデバイスからの第3のデータ信号を受信させるためのプロセッサ実行可能プログラミングをさらに備える、請求項20に記載のプロセッサ可読記憶媒体。
【請求項２３】
処理回路に行わせるための前記プロセッサ実行可能プログラミングは、処理回路に、
前記第2のデータ信号を雑音として扱いつつ前記第1のデータ信号を復号させ、
前記ワイヤレス送信から前記復号された第1のデータ信号を差し引かせ、
前記第1のデータ信号のない前記ワイヤレス送信から前記第2のデータ信号を復号させるためのプロセッサ実行可能プログラミングを含む、請求項20に記載のプロセッサ可読記憶媒体。
【請求項２４】
ワイヤレス通信デバイスであって、
非直交ワイヤレス通信に関連付けられる第1のタイプの変調を利用するとともに第1の復号タイムラインを示す送信のためのデータを符号化するように適合されたエンコーダと、
前記非直交ワイヤレス通信に関連付けられる前記変調を利用して前記データを第1のデータ信号として送信するために前記エンコーダに結合された送信回路とを備え、
前記第1のデータ信号は、第2のワイヤレス通信デバイスからの第2のデータ信号のためにスケジュールされた時間および周波数リソースブロックの少なくとも一部分を介して送信され、前記第2のデータ信号は、直交ワイヤレス通信に関連付けられる第2のタイプの変調を利用するとともに第2の復号タイムラインを示し、前記第1のデータ信号のための前記第1の復号タイムラインは、前記第2のデータ信号のための前記第2の復号タイムラインよりも長い、ワイヤレス通信デバイス。
【請求項２５】
前記送信回路は、前記第1のタイプの変調のための符号分割多重化(CDM)変調を利用する前記第1のデータ信号を送信し、
前記第2のワイヤレス通信デバイスからの前記第2のデータ信号は、前記第2のタイプの変調のための直交周波数分割多重化(OFDM)変調を利用する、請求項24に記載のワイヤレス通信デバイス。
【請求項２６】
前記第1のデータ信号は、シンボルレベルまたは送信時間間隔(TTI)レベルのいずれかにおいて前記第2のデータ信号と非同期で送信される、請求項24に記載のワイヤレス通信デバイス。
【請求項２７】
前記第2のワイヤレス通信デバイスからの前記第2のデータ信号のためにスケジュールされた前記時間および周波数リソースの少なくとも一部分を介して前記第1のデータ信号が送信されるという指示を受信するように適合された受信回路をさらに備える、請求項24に記載のワイヤレス通信デバイス。
【請求項２８】
前記第1のデータ信号は、前記第2のデータ信号に関連付けられる電力レベルよりも低い電力レベルで送信される、請求項24に記載のワイヤレス通信デバイス。
【請求項２９】
ワイヤレス通信デバイス上で動作可能な方法であって、
非直交ワイヤレス通信に関連付けられる第1のタイプの変調を利用するとともに第1の復号タイムラインを示す送信のためのデータを符号化するステップと、
前記非直交ワイヤレス通信に関連付けられる第1のタイプの変調を利用する第1のデータ信号として前記データを送信するステップとを含み、前記第1のデータ信号は、第2のワイヤレス通信デバイスからの第2のデータ信号のためにスケジュールされた時間および周波数リソースブロックの少なくとも一部分を介して送信され、前記第2のデータ信号は、直交ワイヤレス通信に関連付けられる第2のタイプの変調を利用するとともに第2の復号タイムラインを示し、前記第1のデータ信号のための前記第1の復号タイムラインは、前記第2のデータ信号のための前記第2の復号タイムラインよりも長い、方法。
【請求項３０】
前記非直交ワイヤレス通信に関連付けられる第1のタイプの変調を利用する前記第1のデータ信号として前記データを送信するステップは、前記第1のタイプの変調のために符号分割多重化(CDM)変調を利用する前記第1のデータ信号としてデータを送信するステップを含み、
前記第2のワイヤレス通信デバイスからの前記第2のデータ信号は、前記第2のタイプの変調のための直交周波数分割多重化(OFDM)変調を利用する、請求項29に記載の方法。
【請求項３１】
前記第2のワイヤレス通信デバイスからの前記第2のデータ信号のためにスケジュールされた前記時間および周波数リソースの少なくとも一部分を介して前記第1のデータ信号を送信するステップは、
シンボルレベルまたは送信時間間隔(TTI)レベルのいずれかにおいて前記第2のデータ信号と非同期で前記第1のデータ信号を送信するステップを含む、請求項29に記載の方法。
【請求項３２】
前記データを符号化するのに先立って、前記第2のワイヤレス通信デバイスからの前記第2のデータ信号のためにスケジュールされた前記時間および周波数リソースの少なくとも一部分を介して前記第1のデータ信号が送信されるという指示を受信するステップをさらに含む、請求項29に記載の方法。
【請求項３３】
前記第2のワイヤレス通信デバイスからの前記第2のデータ信号のためにスケジュールされた前記時間および周波数リソースの少なくとも一部分を介して前記第1のデータ信号を送信するステップは、
前記第2のデータ信号に関連付けられる電力レベルよりも低い電力レベルで前記第1のデータ信号を送信するステップを含む、請求項29に記載の方法。
【請求項３４】
ワイヤレス通信デバイス上で動作可能なワイヤレス通信デバイスであって、
非直交ワイヤレス通信に関連付けられる第1のタイプの変調を利用するとともに第1の復号タイムラインを示す送信のためのデータを符号化するための手段と、
前記非直交ワイヤレス通信に関連付けられる第1のタイプの変調を利用する第1のデータ信号として前記データを送信するための手段とを備え、前記第1のデータ信号は、第2のワイヤレス通信デバイスからの第2のデータ信号のためにスケジュールされた時間および周波数リソースの少なくとも一部分を介して送信され、前記第2のデータ信号は、直交ワイヤレス通信に関連付けられる第2のタイプの変調を利用するとともに第2の復号タイムラインを示し、前記第1のデータ信号のための前記第1の復号タイムラインは、前記第2のデータ信号のための前記第2の復号タイムラインよりも長い、ワイヤレス通信デバイス。
【請求項３５】
前記非直交ワイヤレス通信に関連付けられる第1のタイプの変調を利用する前記第1のデータ信号として前記データを送信するための手段は、前記第1のタイプの変調のために符号分割多重化(CDM)変調を利用する前記第1のデータ信号としてデータを送信するための手段を含み、
前記第2のワイヤレス通信デバイスからの前記第2のデータ信号は、前記第2のタイプの変調のための直交周波数分割多重化(OFDM)変調を利用する、請求項34に記載のワイヤレス通信デバイス。
【請求項３６】
前記第2のワイヤレス通信デバイスからの前記第2のデータ信号のためにスケジュールされた前記時間および周波数リソースの少なくとも一部分を介して前記第1のデータ信号を送信するための手段は、
シンボルレベルまたは送信時間間隔(TTI)レベルのいずれかにおいて前記第2のデータ信号と非同期で前記第1のデータ信号を送信するための手段を含む、請求項34に記載のワイヤレス通信デバイス。
【請求項３７】
前記データを符号化するのに先立って、前記第2のワイヤレス通信デバイスからの前記第2のデータ信号のためにスケジュールされた前記時間および周波数リソースの少なくとも一部分を介して前記第1のデータ信号が送信されるという指示を受信するための手段をさらに備える、請求項34に記載のワイヤレス通信デバイス。
【請求項３８】
前記第2のワイヤレス通信デバイスからの前記第2のデータ信号のためにスケジュールされた前記時間および周波数リソースの少なくとも一部分を介して前記第1のデータ信号を送信するための手段は、
前記第2のデータ信号に関連付けられる電力レベルよりも低い電力レベルで前記第1のデータ信号を送信するための手段を含む、請求項34に記載のワイヤレス通信デバイス。
【請求項３９】
処理回路に、
非直交ワイヤレス通信に関連付けられる第1のタイプの変調を利用するとともに第1の復号タイムラインを示す送信のためのデータを符号化させ、
前記非直交ワイヤレス通信に関連付けられる前記第1のタイプの変調を利用する第1のデータ信号として前記データを送信させるためのプロセッサ実行可能プログラミングを記憶し、前記第1のデータ信号は、第2のワイヤレス通信デバイスからの第2のデータ信号のためにスケジュールされた時間および周波数リソースブロックの少なくとも一部分を介して送信され、前記第2のデータ信号は、直交ワイヤレス通信に関連付けられる第2のタイプの変調を利用するとともに第2の復号タイムラインを示し、前記第1のデータ信号のための前記第1の復号タイムラインは、前記第2のデータ信号のための前記第2の復号タイムラインよりも長い、プロセッサ可読記憶媒体。
【請求項４０】
前記第1のデータ信号は、前記第1のタイプの変調のための符号分割多重化(CDM)変調を利用して送信され、
前記第2のワイヤレス通信デバイスからの前記第2のデータ信号は、前記第2のタイプの変調のための直交周波数分割多重化(OFDM)変調を利用する、請求項39に記載のプロセッサ可読記憶媒体。
【請求項４１】
前記第1のデータ信号は、シンボルレベルまたは送信時間間隔(TTI)レベルのいずれかにおいて前記第2のデータ信号と非同期で送信される、請求項39に記載のプロセッサ可読記憶媒体。
【請求項４２】
前記第1のデータ信号は、前記第2のデータ信号に関連付けられる電力レベルよりも低い電力レベルで送信される、請求項39に記載のプロセッサ可読記憶媒体。
【請求項４３】
ワイヤレス通信デバイスであって、
受信回路と、
前記受信回路に結合された処理回路とを備え、前記処理回路は、
前記受信回路を介して、特定の時間および周波数リソース上でワイヤレス送信を受信することであって、前記ワイヤレス送信は第1のワイヤレスデバイスからの第1のデータ信号と第2のワイヤレスデバイスからのアンダーレイの第2のデータ信号とを含み、前記第1のデータ信号は直交周波数分割多重化(OFDM)変調を採用し、前記アンダーレイの第2のデータ信号は符号分割多重化(CDM)変調を採用する、受信することであって、前記第2のデータ信号は、前記第1のデータ信号よりも持続時間において長い、受信することと、
前記第1のデータ信号および前記アンダーレイの第2のデータ信号を復号することとを行うように適合される、ワイヤレス通信デバイス。
【請求項４４】
ワイヤレス通信デバイスであって、
送信回路と、
前記送信回路に結合された処理回路とを備え、前記処理回路は、
前記送信回路を介して、符号分割多重化(CDM)変調を採用するとともに第1の復号タイムラインを示す第1のデータ信号を送信するように適合され、
前記送信される第1のデータ信号は、特定の時間および周波数リソースの少なくとも一部分において、第2のワイヤレス通信デバイスからの第2のデータ信号と非直交で組み合わせられ、前記第2のデータ信号は、直交周波数分割多重化(OFDM)変調を採用するとともに第2の復号タイムラインを示し、前記第1のデータ信号のための前記第1の復号タイムラインは、前記第2のデータ信号のための前記第2の復号タイムラインよりも長い、ワイヤレス通信デバイス。
【発明の詳細な説明】
【技術分野】
【０００１】
関連出願の相互参照
本出願は、2015年3月15日に米国特許商標庁に出願された仮出願第62/133,388号、および2015年9月16日に米国特許商標庁に出願された非仮出願第14/856,491号の優先権を主張するものであり、それらのすべての内容が参照により本明細書に組み込まれる。
【０００２】
以下で説明する技術は、一般にワイヤレス通信に関し、より詳細には、非直交アンダーレイを容易にするための方法およびデバイスに関する。
【背景技術】
【０００３】
ワイヤレス通信システムは、音声、ビデオ、パケットデータ、メッセージング、ブロードキャストなどのような様々なタイプの通信コンテンツを提供するために広く展開されている。これらのシステムは、ワイヤレス通信を容易にするように適合された様々なタイプのデバイスによってアクセスされ得、複数のデバイスが利用可能なシステムリソース(たとえば、時間、周波数、および電力)を共有する。そのようなワイヤレス通信システムの例は、符号分割多元接続(CDMA)システム、時分割多元接続(TDMA)システム、周波数分割多元接続(FDMA)システム、および直交周波数分割多元接続(OFDMA)システムを含む。
【０００４】
複数のタイプのデバイスが、そのようなワイヤレス通信システムを利用するように適合される。これらのデバイスは、一般に、ワイヤレス通信デバイスおよび/またはアクセス端末と呼ばれることがある。モバイルブロードバンドアクセスに対する需要が増大し続けているので、研究開発は、モバイルブロードバンドアクセスに対する高まる要求を満たすためだけではなく、ユーザエクスペリエンスを進化および向上させるために、ワイヤレス通信技術を進化させ続けている。場合によっては、利用可能なシステムリソースをアクセス端末間で共有する能力の進化が有益であり得る。
【発明の概要】
【課題を解決するための手段】
【０００５】
以下に、論じる技術を基本的に理解できるように、本開示のいくつかの態様を要約する。この概要は、本開示の企図する全特徴の広い全体像ではなく、本開示の全態様の鍵となる要素または重要な要素を特定する意図も、本開示の任意またはすべての態様の範囲を視覚的に示す意図もない。その唯一の目的は、後で提示するより詳細な説明の導入として、本開示の1つまたは複数の態様のいくつかの概念を要約の形で提示することである。
【０００６】
本開示の様々な例および実装形態は、ワイヤレス通信システム内の非直交ワイヤレスアンダーレイ通信を容易にする。本開示の少なくとも1つの態様によれば、非直交ワイヤレスアンダーレイ通信を容易にするように適合されたワイヤレス通信デバイスが開示される。少なくとも1つの例では、ワイヤレス通信デバイスは、特定の時間および周波数リソースを介してワイヤレス送信を受信するように適合された受信回路を含んでもよく、ここで、ワイヤレス送信は、直交ワイヤレス通信に関連付けられる第1のタイプの変調を用いた第1の信号と、非直交アンダーレイワイヤレス通信に関連付けられる第2のタイプの変調を用いた第2の信号とを含む。デコーダが受信回路に結合され、ワイヤレス送信を取得するように、また第1の信号および第2の信号を復号するように適合されてもよい。
【０００７】
少なくとも1つの他の例では、ワイヤレス通信デバイスは、非直交ワイヤレス通信に関連付けられる第1のタイプの変調を利用して送信のためのデータを符号化するように構成されたエンコーダを含んでもよい。送信回路がエンコーダに結合されてもよく、非直交ワイヤレス通信に関連付けられる変調を利用する第1の信号としてデータを送信するように構成されてもよい。第1の信号は、第2のワイヤレス通信デバイスからの第2の信号に対してスケジュールされた時間および周波数リソースの少なくとも一部分を介して送信されてよく、ここで第2の信号は、直交ワイヤレス通信に関連付けられる第2のタイプの変調を利用する。
【０００８】
少なくとも1つのさらなる一例では、ワイヤレス通信デバイスは、受信回路と、その受信回路に結合された処理回路とを含んでもよい。処理回路は、受信回路を介して、特定の時間および周波数リソース上でワイヤレス送信を受信するように適合されてもよく、ここで、ワイヤレス送信は第1の信号とアンダーレイの第2の信号とを含む。第1の信号は直交周波数分割多重(OFDM)変調を採用してもよく、アンダーレイの第2の信号は符号分割多重化(CDM)変調を採用してもよい。処理回路は、第1の信号とアンダーレイの第2の信号とを復号するようにさらに適合されてもよい。
【０００９】
さらなる例では、ワイヤレス通信デバイスは、送信回路と、その送信回路に結合された処理回路とを含んでもよい。処理回路は、送信回路を介して、符号分割多重化(CDM)変調を採用した第1の信号を送信するように適合されてもよく、ここで、送信される第1の信号は、特定の時間および周波数リソースの少なくとも一部分において、第2のワイヤレス通信デバイスからの第2の信号と非直交で組み合わせられ、第2の信号は直交周波数分割多重化(OFDM)変調を採用する。
【００１０】
本開示の追加の態様は、ワイヤレス通信デバイス上で動作可能な方法および/またはそのような方法を実行するための手段を含む。少なくとも1つの例によれば、そのような方法は、特定の時間および周波数リソースを介してワイヤレス送信を受信するステップであって、ワイヤレス送信は、直交ワイヤレス通信に関連付けられる第1のタイプの変調を採用した第1の信号と、非直交ワイヤレス通信に関連付けられる第2のタイプの変調を採用した第2の信号とを含む、ステップを含んでもよい。さらに、第1の信号と第2の信号は両方とも復号され得る。
【００１１】
少なくとも1つのさらなる例では、そのような方法は、非直交ワイヤレス通信に関連付けられる第1のタイプの変調を利用して送信のためのデータを符号化するステップを含んでもよい。データは、非直交ワイヤレス通信に関連付けられる第1のタイプの変調を利用して第1の信号として送信されてもよく、ここで、第1の信号は、第2のワイヤレス通信デバイスからの第2の信号のためにスケジュールされた時間および周波数リソースの少なくとも一部分を介して送信される。第2の信号は、直交ワイヤレス通信に関連付けられる第2のタイプの変調を利用してもよい。
【００１２】
本開示のまたさらなる態様は、プロセッサ実行可能プログラミングを記憶するプロセッサ可読記憶媒体を含む。少なくとも1つの例では、プロセッサ実行可能プログラミングは、処理回路に、特定の時間および周波数リソースを介してワイヤレス送信を受信させるように適合されてもよく、ここで、ワイヤレス送信は、直交ワイヤレス通信に関連付けられる第1のタイプの変調を採用した第1の信号と、非直交ワイヤレス通信に関連付けられる第2のタイプの変調を採用した第2の信号とを含む。プロセッサ実行可能プログラミングは、処理回路に、第1の信号と第2の信号の両方を復号させるようにさらに適合されてもよい。
【００１３】
少なくとも1つのさらなる例では、プロセッサ実行可能プログラミングは、処理回路に、非直交ワイヤレス通信に関連付けられる第1のタイプの変調を利用して送信のためのデータを符号化させるようにさらに適合されてもよい。プロセッサ実行可能プログラミングは、処理回路に、非直交ワイヤレス通信に関連付けられる第1のタイプの変調を利用してデータを第1の信号として送信させるようにさらに適合されてもよく、ここで、第1の信号は、第2のワイヤレス通信デバイスからの第2の信号のためにスケジュールされた時間および周波数リソースの少なくとも一部分を介して送信される。第2の信号は、直交ワイヤレス通信に関連付けられる第2のタイプの変調を利用してもよい。
【００１４】
本開示に関連付けられた他の態様、特徴、および実施形態は、添付の図とともに以下の説明を検討すれば、当業者に明らかとなろう。
【図面の簡単な説明】
【００１５】
【図１】少なくとも1つの例に従って示された、簡略化されたアクセスネットワークのブロック図である。
【図２】本開示の1つまたは複数の態様が適用され得る環境を示すブロック図である。
【図３】直交多重化の例を概念的に示すブロック図である。
【図４】少なくとも1つの例による非直交多重化アクセスの一例を概念的に示すブロック図である。
【図５】少なくとも1つの例による、直交公称サービスを採用するワイヤレス通信デバイスと非直交アンダーレイサービスを採用するワイヤレス通信デバイスとの間のワイヤレス通信を示すブロック図である。
【図６】本開示の少なくとも1つの例によるワイヤレス通信デバイスの選択構成要素を示すブロック図である。
【図７】非直交アンダーレイ送信を受信するためのワイヤレス通信デバイス上で動作可能な方法の少なくとも1つの例を示す流れ図である。
【図８】非直交アンダーレイ送信を送るためのワイヤレス通信デバイス上で動作可能な方法の少なくとも1つの例を示す流れ図である。
【発明を実施するための形態】
【００１６】
添付の図面に関して以下に記載する説明は、様々な構成の説明として意図されており、本明細書で説明する概念および特徴が実践され得る唯一の構成を表すことは意図されていない。以下の説明は、様々な概念の完全な理解を与えるために、具体的な詳細を含む。しかしながら、これらの概念がこれらの具体的な詳細なしに実践され得ることは当業者に明らかであろう。場合によっては、よく知られている回路、構造、技法および構成要素は、説明する概念および特徴を曖昧にすることを回避するために、ブロック図の形態で示される。
【００１７】
本開示全体にわたって提示する様々な概念は、多種多様な通信システム、ネットワークアーキテクチャ、および通信規格にわたって実装され得る。図1を参照すると、限定ではなく例として、簡略化されたアクセスネットワーク100が示されている。アクセスネットワーク100は、限定はしないが、第5世代(5G)技術、第4世代(4G)技術、第3世代(3G)技術、および他のネットワークアーキテクチャを含む様々なネットワーク技術に従って実装され得る。したがって、本開示の様々な態様は、ロングタームエボリューション(LTE)、(FDDモード、TDDモード、もしくはその両方のモードの)LTE-アドバンスト(LTE-A)、ユニバーサルモバイルテレコミュニケーションシステム(UMTS)、モバイル通信用グローバルシステム(GSM(登録商標))、符号分割多元接続(CDMA)、エボリューションデータオプティマイズド(EV-DO)、ウルトラモバイルブロードバンド(UMB)、IEEE802.11(Wi-Fi)、IEEE802.16(WiMAX)、IEEE802.20、ウルトラワイドバンド(UWB)、Bluetooth(登録商標)、および/または他の適切なシステムに基づくネットワークに拡張され得る。採用される実際の電気通信規格、ネットワークアーキテクチャ、および/または通信規格は、特定の適用例およびシステムに課された全体的な設計制約によって決まる。
【００１８】
ワイヤレス通信システム100は、一般に、1つまたは複数の基地局102および1つまたは複数のアクセス端末104などのワイヤレス通信デバイス間のワイヤレス通信を容易にするように適合される。基地局102およびアクセス端末104は、ワイヤレス信号を通じてワイヤレス通信デバイスと対話するように適合されてもよい。いくつかの事例では、そのようなワイヤレス対話は、複数のキャリア(異なる周波数の波形信号)上で行われ得る。各被変調信号は、制御情報(たとえば、パイロット信号)、オーバーヘッド情報、データなどを搬送し得る。
【００１９】
基地局102は、基地局アンテナを介してアクセス端末104とワイヤレス通信することができ、基地局アンテナは、地理的領域にわたって分散された複数のリモートアンテナユニットも含み得る。基地局102はそれぞれ、一般に、ワイヤレス通信システム100への(1つまたは複数のアクセス端末104のための)ワイヤレス接続性を容易にするように適合されたデバイスとして実装され得る。そのような基地局102は、当業者によって、トランシーバ基地局(BTS)、無線基地局、無線トランシーバ、アクセスポイント、トランシーバ機能、基本サービスセット(BSS)、拡張サービスセット(ESS)、ノードB、フェムトセル、ピコセル、または何らかの他の好適な用語で呼ばれることもある。
【００２０】
1つまたは複数のアクセス端末104は、カバレージエリア106(たとえば、106A、106B、106C)全体にわたって分散され得る。アクセス端末104は、一般に、ワイヤレス信号を通じて1つまたは複数の他のデバイスと通信する1つまたは複数のデバイスを含み得る。たとえば、アクセス端末104は、1つもしくは複数の基地局102および/または1つもしくは複数の他のアクセス端末104と通信してもよい。図示のように、アクセス端末104-Aは、ワイヤレス通信シンボル108によって表されるようにアクセス端末104-Bと直接通信してもよい。様々な実装形態では、アクセス端末104は、当業者によって、ユーザ機器(UE)、移動局(MS)、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、モバイル端末、ワイヤレス端末、リモート端末、ハンドセット、端末、ユーザエージェント、モバイルクライアント、クライアント、または何らかの他の好適な用語で呼ばれることもある。アクセス端末104は、モバイル端末および/または少なくとも実質的に固定された端末を含み得る。アクセス端末104の例は、モバイルフォン、ページャ、ワイヤレスモデム、携帯情報端末、個人情報マネージャ(PIM)、パーソナルメディアプレーヤ、パームトップコンピュータ、ラップトップコンピュータ、タブレットコンピュータ、テレビジョン、アプライアンス、電子リーダー、デジタルビデオレコーダ(DVR)、マシンツーマシン(M2M)デバイス、メーター、エンターテインメントデバイス、センサー、検知デバイス、ウェアラブルデバイス、ルータ、および/またはワイヤレスもしくはセルラーネットワークを少なくとも部分的に通じて通信する他の通信/コンピューティングデバイスを含む。
【００２１】
図1の例は、アクセス端末104が基地局102を通じてネットワークと通信する従来のワイヤレス通信システムの例を全体的に示しているが、本開示の態様は、ワイヤレス通信システムの様々な他の構成においても適用され得る。限定ではなく例として、本開示の態様は、ワイヤレス通信が2つ以上のワイヤレスデバイスの間で行われる任意のワイヤレス通信システムにおいて適用され得る。そのようなワイヤレスデバイスは、基地局、アクセス端末、および/または他のワイヤレスデバイスの任意の組合せであり得る。
【００２２】
本開示の様々な態様では、ワイヤレス通信デバイスは、スケジューリングエンティティとして、かつ/または非スケジューリングエンティティもしくは従属エンティティとしてワイヤレス通信ネットワーク内で、利用され得る。いずれの場合も、ワイヤレス通信デバイスは、エアインターフェースを介して1つまたは複数のワイヤレスエンティティと通信し得る。任意のワイヤレス通信ネットワークにおいて、エアインターフェースに対応するチャネル状態は経時的に変化する。
【００２３】
次に図2を参照すると、本開示の1つまたは複数の態様が適用例を見つけ得るワイヤレスネットワーク環境のブロック図が示されている。ワイヤレス通信ネットワーク200は、カバレージエリア204として表されるワイヤレスWANサービスをサポートする基地局202(たとえば、eNB)を含んでもよい。したがって、たとえば、ワイヤレス通信シンボル216および218によってそれぞれ表されるアクセス端末206および208に対して、公称サービスが提供され得る。
【００２４】
本開示の態様によれば、基地局202はまた、アクセス端末210、212、および214などの1つまたは複数のアクセス端末に対するアンダーレイサービスをサポートしてもよく、このアンダーレイサービスは図2においてワイヤレス通信シンボル220および222によって示されている。いくつかの例では、アクセス端末210、212、および214のうちの1つまたは複数が、すべてのインターネットのデバイスであってもよい。すべてのインターネット(IOE)は、いくつかの態様では、インターネットインフラストラクチャと相互動作し得る様々なデバイスに関係する。ワイドエリアネットワーク(WAN)に適用されたIOEは、WAN-IOEと呼ばれることもある。WAN-IOEは、拡大されたカバレージに対して、または電力増幅器を有さないアクセス端末に対して、リンクバジェットの改善を必要とし得る。たとえば、電力増幅器をもたないアクセス端末は、3dBm程度の送信電力を有し得る。WAN-IOEは、セルエッジ(たとえば、基地局のセル)における直接リンクを補足するために、計画されたメッシュを必要とし得る。WAN-IOEは、非同期アクセスおよびスケジュール持続性を使用した、小規模データに対する電力節約を必要とし得る。WAN-IOEは、より高度なデバイス能力、たとえばセル当たり50,000アクセス端末以上へのスケーリングを必要とし得る。WAN-IOEは、パーティショニング、アンダーレイ、または無認可帯域を通じたスペクトルおよびインフラストラクチャの再利用を必要とし得る。
【００２５】
IOEアクセス端末のいくつかの例として、家庭用電気製品の接続性ならびに市のインフラストラクチャ監視および制御を含めて、直接的にまたは低電力アグリゲーションポイントおよびピアを通じてWANにレポートするアクセス端末など、家庭用、商用、および/または公共用のセンサーおよびデバイスを挙げることができる。IOEアクセス端末のさらなる例としては、ノマディックモビリティを伴うトラッキング、より長いレンジのために採用され、場合によってはGPSと組み合わせられるIOEタグなど、トラッキング、ロジスティクスおよびジオフェンシングデバイスを挙げることができる。IOEタグのグループは、省電力化のためのメッシュアーキテクチャを活用してもよく、また当該のリージョンはアグリゲータ近接性に基づき得る。IOCアクセス端末のさらなる例には、ウェアラブルおよび他の小さな形状係数のデバイス、掃気デバイス、および民生用電子機器など、新生のアプリケーションがある。
【００２６】
さらに図2を参照すると、本開示の態様によれば、アクセス端末210、212、および214に提供されるアンダーレイサービスのために割り振られた時間および周波数リソースは、公称サービスのために割り振られた時間および周波数リソースに対して非直交であってもよい。いくつかの実装形態では、アクセス端末210、212、および214は、ワイヤレス通信シンボル224および226ならびにカバレージエリア228によって表されるメッシュネットワークを形成してもよい。たとえば、アクセス端末210、212、および214の各々は、デバイス間ワイヤレス通信ならびにWANワイヤレス通信をサポートしてもよい。
【００２７】
直交送信の態様と非直交送信の態様との違いをさらに説明するために、図3および図4を参照する。図3は直交送信の例を概念的に示すブロック図であり、図4は非直交送信の例を概念的に示すブロック図である。図3の左側に示されているように、周波数分割多重化(FDM)は一般に、それぞれの時間および周波数リソースが重複しないそれぞれの送信デバイスに単一の時間および周波数リソースを割り振る。たとえば、第1のアクセス端末AT1に割り振られたリソースと第2のアクセス端末AT2に割り振られたリソースは重複しない。さらに、図3の右側に示されているように、直交周波数分割多重化(OFDM)は一般に、各それぞれの送信デバイスに単一の時間および周波数リソースブロックを割り振る。たとえば、様々なアクセス端末AT1〜AT6はすべて、それぞれに割り振られた時間および周波数リソースとともに示されている。アクセス端末が直交化されるので、アクセス端末は線形処理によって時間および周波数にわたって分離され得る。
【００２８】
図4を参照すると、非直交多重化によって、複数のアクセス端末が、同じまたは重複する時間および周波数リソースを利用することが可能となることが示されている。言い換えれば、少なくともいくつかのアクセス端末は、時間、周波数、および/または空間次元のいずれかにわたって線形に分離されない場合がある。図示のように、時間および周波数リソースは重複を阻止する。たとえば、アクセス端末AT1およびAT6に割り振られた時間および周波数リソースは互いに重複する。同様に、アクセス端末AT2、AT4、AT7、AT9およびAT11に割り振られた時間および周波数リソースは重複し、アクセス端末AT3、AT5、AT8、AT10、およびAT12に割り振られたリソースブロックも同様に重複する。同様にわかるように、アクセス端末のうちのいくつかの間に割り振られた時間および周波数リソースは依然として直交する。たとえば、アクセス端末AT2とAT3との間に割り振られた時間および周波数リソースブロックは依然として直交する。図4にも示すように、1つまたは複数のアクセス端末が、時間において他のアクセス端末と整合されないことがある。たとえば、アクセス端末AT1とAT6は、時間軸において互いと、また他のアクセス端末と整合されないことがある。
【００２９】
前述のように、本開示の態様は、アンダーレイサービスの公称サービスとの非直交多重化を可能にするアンダーレイサービスを提供する。いくつかの例では、非直交アンダーレイサービスは、ダウンリンク送信のためには利用不可能である一方で、アクセス端末(たとえば、図2のアクセス端末212)から基地局(たとえば、図2の基地局202)へ送られる送信など、アップリンク送信のためには利用可能となり得る。そのような例では、ダウンリンク送信は、非直交アンダーレイの利益にはならない比較的高い送信電力を含み得る。他の例では、非直交アンダーレイサービスは、アクセス端末のすべてが比較的低い送信電力を用いるアクセス端末(たとえば、IOEアクセス端末)間のデバイス間通信のためなど、アップリンク送信とダウンリンク送信の両方のために利用可能となり得る。そのような例では、ダウンリンク送信は、スケジューリングエンティティから非スケジューリング(または従属)エンティティに生じ得る。
【００３０】
図5は、少なくとも1つの例による、直交公称サービスを採用するワイヤレス通信デバイスと非直交アンダーレイサービスを採用するワイヤレス通信デバイスとの間のワイヤレス通信を示すブロック図である。図示のように、第1のワイヤレスデバイス、ワイヤレスデバイスA 502は、第2のワイヤレスデバイス、ワイヤレスデバイスB 506からワイヤレス送信504を送信および/または受信し得る。この例では、ワイヤレス送信504は公称サービスを利用して送られる。また、第3のワイヤレスデバイス、ワイヤレスデバイスC 508は、ワイヤレスデバイスA 502を用いてワイヤレス送信510を送信および/または受信する。この例では、ワイヤレス送信510はアンダーレイサービスを利用して送られる。破線の楕円512によって示されるように、第2のワイヤレスデバイスB 506とのワイヤレス送信504は、非直交方式での第3のワイヤレスデバイスC 510とのワイヤレス送信510によって利用される同じ時間および周波数リソースの少なくとも一部を使用する。すなわち、アンダーレイサービスを利用するワイヤレス送信510は、公称サービスを利用するワイヤレス送信504に対して非直交である。
【００３１】
図5にさらに示すように、さらなるワイヤレス送信514が、第1のワイヤレスデバイスA 502と第4のワイヤレスデバイス、ワイヤレスデバイスD 516との間で通信されてもよい。この例では、ワイヤレス送信514は、ワイヤレス送信504と同様に、公称サービスを利用して送られる。公称サービスは直交多重化サービスを表すため、ワイヤレス送信514と504は、破線の楕円518によって表されるように直交する。
【００３２】
図5はまた、第1のワイヤレスデバイスA 502と第5のワイヤレスデバイス、ワイヤレスデバイスE 522との間で通信されるさらなるワイヤレス送信520を示している。この例では、ワイヤレス送信520はアンダーレイサービスを利用して送られる。アンダーレイサービスは非直交多重化を利用するため、ワイヤレス送信510と520は、破線の楕円524によって表されるように互いに非直交である。さらに、図5には示されていないが、ワイヤレス送信520はまた、公称サービスを利用して通信されるワイヤレス送信504および514と非直交多重化されてもよい。
【００３３】
1つまたは複数の実装形態によれば、アンダーレイサービス(たとえば、ワイヤレス送信510)を利用して通信される送信は、公称サービス(たとえば、ワイヤレス送信504)を利用する送信の送信電力より小さくなるように構成された送信電力を利用して送られてもよい。たとえば、アンダーレイサービス送信は、アンダーレイサービス送信が非直交多重化される公称サービス送信の信号対雑音比(SNR)または信号対干渉+雑音比(SINR)よりも小さい目標SNRまたはSINRに対して構成されてもよい。
【００３４】
少なくともいくつかの実装形態では、アンダーレイサービス送信は、アンダーレイサービス送信が非直交多重化される公称サービス送信よりも長くてもよい。たとえば、ワイヤレス送信510はワイヤレス送信504よりも長くてもよい。このようにして、受信ワイヤレスデバイスは、直交ベースの公称サービス信号を復号し、それらを再構成し、次いで受信された信号からこの情報を消去して、非直交ベースのアンダーレイサービス信号を復号し得る。
【００３５】
いくつかの実装形態では、非直交アンダーレイサービスを介して送信しているワイヤレスデバイスは、その送信が公称サービス送信と非直交多重化されるという指示を獲得し得る。そのような場合、ワイヤレスデバイスは、送信パラメータを選択するときにこの情報を用い得る。たとえば、ワイヤレスデバイスは、そのワイヤレスデバイスと別のワイヤレスデバイスが重複するリソースを割り振られている(たとえば、一方のワイヤレスデバイスは公称サービスを使用しており、もう一方は非直交アンダーレイを使用している)という指示を(たとえば、eNBまたはいくつかの他のデバイスなどのスケジューラから)受信し得る。この場合、この指示を受信した結果として、ワイヤレスデバイスは、送信電力、送信時間、HARQレイテンシ、送信時間間隔(TTI)長さ、HARQの終了、ならびに/または変調およびコーディング方式(MCS)のうちの少なくとも1つを適応させてもよい。
【００３６】
いくつかの実装形態では、非直交アンダーレイサービスを利用するワイヤレスデバイスは、アンダーレイサービスの配備を容易にするようにスケジュールされてもよい。たとえば、直交サービスを利用するワイヤレスデバイスは、アンダーレイサービスを利用する他のワイヤレスデバイスと比べて、より短い送信時間および/またはより高い電力レベルを用いるようにスケジュールされてもよい。
【００３７】
いくつかの実装形態では、非直交アンダーレイを使用するワイヤレスデバイスは、シンボルレベルにおいて公称サービスを使用するワイヤレスデバイスに対して非同期的となり得る。いくつかの実装形態では、非直交アンダーレイを使用するワイヤレスデバイスは、シンボルレベルにおいて公称サービスを使用するワイヤレスデバイスに対して同期的となり得る。いくつかの実装形態では、非直交アンダーレイを使用するワイヤレスデバイスは、TTIレベルにおいて公称サービスを使用するワイヤレスデバイスに対して非同期的となり得る。いくつかの実装形態では、非直交アンダーレイを使用するワイヤレスデバイスは、TTIレベルにおいて公称サービスを使用するワイヤレスデバイスに対して同期的となり得る。ワイヤレスデバイスが、他のワイヤレスデバイスに対して非同期的であるか同期的であるかに関する指示を受信した場合、そのワイヤレスデバイスは、受信したデータを復号するために様々なアルゴリズムを(たとえば、様々な数の仮説を用いて)使用し得る。
【００３８】
少なくとも1つの例では、公称サービスは、直交周波数分割多重化(OFDM)などの直交多重化方式を採用してもよい。加えて、アンダーレイサービスは、符号分割多重化(CDM)などの非直交多重化方式を採用し得る。たとえば、図5のワイヤレス送信504および514はOFDMを利用して通信され得るが、ワイヤレス送信510および524はCDMを利用して通信され得る。
【００３９】
図6を参照すると、本開示の少なくとも1つの例によるワイヤレス通信デバイス600の選択構成要素を示すブロック図が示されている。本開示の様々な実装形態によれば、ワイヤレス通信デバイス600は、アンダーレイサービスを利用したアップリンクおよび/またはダウンリンク非直交ワイヤレス通信を容易にするように構成され得る。本開示で使用する場合、アップリンク送信は、送信ワイヤレス通信デバイスによって受信ワイヤレス通信デバイスに送られる任意のワイヤレス送信を指し、受信デバイスは、複数の送信デバイスからのワイヤレス送信を受信し、復号するデバイスである。加えて、ダウンリンク送信は、送信ワイヤレス通信デバイスによって2つ以上の受信ワイヤレス通信デバイスに送られる任意のワイヤレス送信を指し、複数の受信デバイスの各々は、送信デバイスからの送信を受信し、復号する。
【００４０】
ワイヤレス通信デバイス600は、通信インターフェース604および記憶媒体606に結合されるか、または通信インターフェース604および記憶媒体606と電気通信するように配置された処理回路602を含み得る。
【００４１】
処理回路602は、データの取得、処理、および/または送信を行い、データのアクセスおよび記憶を制御し、コマンドを発行し、他の所望の動作を制御するように構成された回路を含む。処理回路602は、適当な媒体によって提供される所望のプログラミングを実装するように適合された回路、および/または本開示で説明する1つもしくは複数の機能を実行するように適合された回路を含み得る。たとえば、処理回路602は、1つもしくは複数のプロセッサ、1つもしくは複数のコントローラ、および/または実行可能なプログラミングを実行するように構成された他の構造として実装され得る。処理回路602の例は、汎用プロセッサ、デジタル信号プロセッサ(DSP)、特定用途向け集積回路(ASIC)、フィールドプログラマブルゲートアレイ(FPGA)もしくは他のプログラマブル論理構成要素、個別ゲートもしくはトランジスタ論理、個別ハードウェア構成要素、または本明細書で説明する機能を実行するように設計されたそれらの任意の組合せを含み得る。汎用プロセッサは、マイクロプロセッサ、ならびに任意の従来のプロセッサ、コントローラ、マイクロコントローラ、または状態機械を含み得る。処理回路602はまた、DSPとマイクロプロセッサとの組合せ、いくつかのマイクロプロセッサ、DSPコアと連携する1つもしくは複数のマイクロプロセッサ、ASICとマイクロプロセッサ、または任意の他の数の様々な構成などのコンピューティング構成要素の組合せとして実装され得る。処理回路602のこれらの例は説明のためのものであり、本開示の範囲内の他の好適な構成も企図される。
【００４２】
処理回路602は、プログラミングの実行を含め、記憶媒体606上に記憶され得るデータの処理用に適合された回路を含むことができる。本明細書で使用する「プログラミング」という用語は、ソフトウェア、ファームウェア、ミドルウェア、マイクロコード、ハードウェア記述言語と呼ばれるか、または他の名称で呼ばれるかどうかにかかわらず、限定はしないが、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、プロシージャ、関数などを含むように広く解釈されるべきである。
【００４３】
場合によっては、処理回路602はエンコーダ608を含み得る。エンコーダ608は、アップリンク送信および/またはダウンリンク送信によって送信されるべき、ある量のデータを符号化するように適合された回路および/またはプログラミング(たとえば、記憶媒体606上に記憶されたプログラミング)を含み得る。加えてまたは代替として、処理回路602はデコーダ610を含み得る。デコーダ610は、回路および/またはアップリンクおよび/またはダウンリンク送信を受信および復号するように適合されたプログラミング(たとえば、記憶媒体606上に記憶されたプログラミング)を含み得る。ワイヤレス通信デバイス600がエンコーダ608とデコーダ610の両方を含む例では、この2つの構成要素は、処理回路602の同じ処理回路によって、または処理回路602の別個の処理回路として実装され得る。
【００４４】
通信インターフェース604は、ワイヤレス通信デバイス600のワイヤレス通信を容易にするように構成される。たとえば、通信インターフェース604は、1つまたは複数のワイヤレス通信デバイス(たとえば、アクセス端末、ネットワークエンティティ)に関して双方向に情報の通信を容易にするように適合された回路および/またはプログラミングを含み得る。通信インターフェース604は、1つまたは複数のアンテナ(図示せず)に結合されてもよく、少なくとも1つのレシーバ回路612(たとえば、1つまたは複数のレシーバチェーン)および/または少なくとも1つのトランスミッタ回路614(たとえば、1つまたは複数のトランスミッタチェーン)を含むワイヤレストランシーバ回路を含む。受信回路612は、受信回路612からデコーダ610への直交および/または非直交送信の搬送を容易にするために、存在する場合、直接的にまたは間接的にデコーダ610に電子的に結合され得る。送信回路614は、直交および/または非直交送信の一部として送信回路614によって送信するための、エンコーダ608によって出力された符号化されたデータの搬送を容易にするために、存在する場合、直接的にまたは間接的にエンコーダ608に電子的に結合され得る。
【００４５】
記憶媒体606は、プロセッサ実行可能コードもしくは命令(たとえば、ソフトウェア、ファームウェア)などのプログラミング、電子データ、データベース、または他のデジタル情報を記憶するための1つまたは複数のプロセッサ可読デバイスを表し得る。記憶媒体606はまた、プログラミングを実行するときに処理回路602によって操作されるデータを記憶するために使用され得る。記憶媒体606は、可搬型または固定式記憶デバイスと、光記憶デバイスと、プログラミングを記憶すること、含むこと、および/または搬送することが可能な様々な他の媒体とを含む、汎用または専用プロセッサによってアクセスされ得る任意の利用可能な媒体であり得る。限定ではなく例として、記憶媒体606は、磁気記憶デバイス(たとえば、ハードディスク、フロッピーディスク、磁気ストリップ)、光記憶媒体(たとえば、コンパクトディスク(CD)、デジタル多用途ディスク(DVD))、スマートカード、フラッシュメモリデバイス(たとえば、カード、スティック、キードライブ)、ランダムアクセスメモリ(RAM)、読取り専用メモリ(ROM)、プログラマブルROM(PROM)、消去可能PROM(EPROM)、電気的消去可能PROM(EEPROM)、レジスタ、リムーバブルディスク、および/またはプログラミングを記憶するための他の媒体、ならびにそれらの任意の組合せなどのプロセッサ可読記憶媒体を含み得る。
【００４６】
記憶媒体606は、処理回路602が記憶媒体606から情報を読み取り、記憶媒体606に情報を書き込むことができるように処理回路602に結合され得る。すなわち、記憶媒体606は、記憶媒体606が処理回路602と一体である例および/または記憶媒体606が処理回路602から分離されている(たとえば、ワイヤレス通信デバイス600内にある、ワイヤレス通信デバイス600の外部にある、複数のエンティティにわたって分散されている)例を含め、記憶媒体606が処理回路602によって少なくともアクセス可能であるように、処理回路602に結合され得る。
【００４７】
記憶媒体606は、その上に記憶されるプログラミングを含み得る。そのようなプログラミングは、処理回路602によって実行されたとき、処理回路602に、本明細書で説明する様々な機能および/または処理ステップのうちの1つまたは複数を実行させることができる。少なくともいくつかの例では、記憶媒体606は、本明細書で説明するように、処理回路602に、アップリンク非直交送信および/またはダウンリンク非直交送信を送らせるように適合された非直交アンダーレイ送信(Tx)動作616を含み得る。加えてまたは代替として、記憶媒体606は、本明細書で説明するように、処理回路602に、アップリンク非直交送信および/またはダウンリンク非直交送信を受信させ、復号させるように適合された非直交アンダーレイ受信(Rx)動作618を含み得る。
【００４８】
したがって、本開示の1つまたは複数の態様によれば、処理回路602は、本明細書で説明するワイヤレス通信デバイス(たとえば、基地局102、アクセス端末104、基地局202、アクセス端末206、アクセス端末208、アクセス端末210、アクセス端末212、アクセス端末214、ワイヤレスデバイスA 402、ワイヤレスデバイスB 506、ワイヤレスデバイスC 508、ワイヤレスデバイスD 516、ワイヤレスデバイスE 522、ワイヤレス通信デバイス600)のいずれかまたはすべてのためのプロセス、機能、ステップおよび/またはルーチンのいずれかまたはすべてを(独立してまたは記憶媒体606とともに)実行するように適合される。処理回路602に関して本明細書で使用する「適合される」という用語は、処理回路602が、本明細書で説明する様々な特徴による特定のプロセス、機能、ステップおよび/またはルーチンを実行するように構成されること、用いられること、実装されること、および/または(たとえば、記憶媒体606と連携して)プログラムされることのうちの1つまたは複数を行うことを指し得る。
【００４９】
動作時、ワイヤレス通信デバイス600は、非直交アンダーレイ上で送信されたデータ信号を含むワイヤレス通信を促進し得る。図7は、ワイヤレス通信デバイス600など、非直交アンダーレイ送信を受信するためのワイヤレス通信デバイス上で動作可能な方法の少なくとも1つの例を示す流れ図である。図6および図7を参照すると、ワイヤレス通信デバイス600は、動作702において、特定の時間および周波数リソース上のワイヤレス送信を受信し得、ワイヤレス送信は、特定の時間および周波数リソースの少なくとも一部における第1の信号と第2の信号の両方を含む。たとえば、受信回路612は、特定の時間および周波数リソース上でワイヤレス送信を受信するように適合されてもよく、処理回路602は、受信回路612を介してワイヤレス送信を獲得するように適合されてもよい。
【００５０】
ワイヤレス送信の第1の信号は、直交ワイヤレス通信に関連付けられる第1のタイプの変調を採用し得る。同じ時間および周波数リソースの少なくとも一部において受信されるワイヤレス送信の第2の信号は、非直交ワイヤレス通信に関連付けられる第2のタイプの変調を採用し得る。少なくとも1つの実装形態では、第1の信号は直交周波数分割多重化(OFDM)変調を採用し、第2の信号は符号分割多重化(CDM)変調を採用する。いくつかの実装形態では、ワイヤレス送信の第1の信号および第2の信号は、シンボルレベル同期型であってもシンボルレベル非同期型であってもよい。いくつかの実装形態では、ワイヤレス送信の第1の信号および第2の信号は、送信時間間隔(TTI)レベル同期型であってもTTIレベル非同期型であってもよい。
【００５１】
図5を参照しながら上述したように、第1の信号は第3の信号と直交多重化され得る。たとえば、ワイヤレス通信デバイス600は、受信回路612を介して第3の信号をさらに受信してもよく、ここで第3の信号は第1の信号と直交多重化される。たとえば、第3の信号はまたOFDM変調を採用してもよい。
【００５２】
いくつかの実装形態では、受信される第2の信号は第1の信号よりも長いものである。いくつかの実装形態では、受信される第2の信号は、第1の信号によって使用されるように構成された信号対雑音比(SNR)または信号対干渉+雑音比(SINR)よりも低い目標SNRまたは目標SINRを使用するように構成されてもよい。いくつかの実装形態では、受信される第2の信号は、第1の信号のための送信電力および/またはMCS選択よりも低い送信電力および/またはMCS選択を含んでもよい。
【００５３】
704において、ワイヤレス通信デバイス600は、第1の信号と第2の信号の両方を復号し得る。たとえば、処理回路602(たとえば、デコーダ610)は、受信回路610を介してワイヤレス送信を獲得し、そのワイヤレス送信から第1の信号および第2の信号を復号するように適合されてもよい。少なくとも1つの実装形態では、処理回路602(たとえば、デコーダ610)は、第1の信号を復号する間は第2の信号を雑音として扱うことによって第1の信号を復号するように適合されてもよい。第1の信号が再構成された後、第1の信号は、受信されたワイヤレス送信から除去され、第2の信号は第1の信号なしで復号される。したがって、ワイヤレス通信デバイス600は、非直交アンダーレイサービスを利用する送信と時間および周波数リソース上で非直交に組み合わされた直交公称サービス(たとえば、第1の信号)を利用する送信を含んだワイヤレス送信を受信し得る。受信されるワイヤレス送信は、本方法の様々な実装形態によるアップリンク送信またはダウンリンク送信であってよい。
【００５４】
次に図8を参照すると、ワイヤレス通信デバイス600など、非直交アンダーレイ送信を送るためのワイヤレス通信デバイス上で動作可能な方法の少なくとも1つの例を示す流れ図が示されている。図6および図8を参照すると、ワイヤレス通信デバイス600は、非直交ワイヤレス通信に関連付けられる変調を利用したアンダーレイ通信として送信するためのデータを符号化し得る。たとえば、処理回路602(たとえば、エンコーダ608)は、非直交ワイヤレス通信に関連付けられる変調を利用したアンダーレイ通信として送信するためのデータストリームを符号化するように適合されてもよい。少なくとも1つの実装形態では、処理回路602(たとえば、エンコーダ608)は、CDM変調を利用して送信するためのデータストリームを符号化してもよい。
【００５５】
804において、ワイヤレス通信デバイス600は、第2のワイヤレス通信デバイスからの第2の信号のためにスケジュールされた時間および周波数リソースの少なくとも一部分を介した非直交ワイヤレス通信に関連付けられる変調を利用して第1の信号を送信し得る。たとえば、処理回路602は、非直交アンダーレイに関連付けられる変調(たとえば、CDM変調)を用いて送信回路614を介して第1の信号を送信するように適合されてもよく、ここで第1の信号は、第2のワイヤレス通信デバイスからの第2の信号と特定の時間および周波数リソースの少なくとも一部分において非直交に組み合わせられる。第1の信号が非直交に組み合わせられる第2の信号は、直交ワイヤレス通信に関連付けられる変調を利用してもよい。たとえば、第2の信号はOFDM変調を利用してもよい。
【００５６】
いくつかの実装形態では、データを符号化するのに先立って、ワイヤレス通信デバイス600は、第1の信号が第2の信号と時間および周波数リソース上で非直交に組み合わせられるという指示を受信してもよい。いくつかの例では、処理回路602は、受信された指示に応答して、特定の送信電力、TTI間隔、MCS、目標SNR、および/または目標SINRを選択するように適合されてもよい。
【００５７】
いくつかの実装形態では、送信される第1の信号は、第2のワイヤレス通信デバイスによって送信される第2の信号よりも長くなるように構成される。たとえば、第1の信号は、第2の信号に対する復号タイムラインよりも長い復号タイムラインを示すように構成されてもよい。
【００５８】
いくつかの実装形態では、第1の信号は、第2の信号によって使用されるように構成された信号対雑音比(SNR)または目標信号対干渉+雑音比(SINR)よりも低い目標SNRまたは目標SINRで送信されてもよい。いくつかの実装形態では、第1の信号は、第2の信号に関連付けられる送信電力よりも低い送信電力で送信されてもよい。いくつかの実装形態では、第1の信号は、第2の信号のために選択されたMCSよりも低くなるように選択されたMCSに従って送信されてもよい。
【００５９】
上記で説明した態様、構成、および実施形態について具体的な細部まで詳細に説明したが、図1、図2、図3、図4、図5、図6、図7および/または図8に示す構成要素、ステップ、特徴および/または機能のうちの1つまたは複数は、単一の構成要素、ステップ、特徴もしくは機能に再構成され、および/または組み合わせられる場合があるか、あるいは、いくつかの構成要素、ステップ、または機能において具現化される場合がある。また、本開示から逸脱することなく、追加の要素、構成要素、ステップ、および/または機能が追加されるか、または利用されないことがある。図1、図2、図5および/または図6に示す装置、デバイス、および/または構成要素は、図3、図4、図7、および/または図8において説明した方法、特徴、パラメータ、および/またはステップのうちの1つまたは複数を実行または利用するように構成され得る。本明細書で説明する新規のアルゴリズムはまた、効率的にソフトウェアで実装されてもよく、および/またはハードウェアに埋め込まれてもよい。
【００６０】
本開示の特徴について、いくつかの実施形態および図に関して説明したが、本開示のすべての実施形態は、本明細書で説明する有利な特徴のうちの1つまたは複数を含むことができる。言い換えれば、1つまたは複数の実施形態について、いくつかの有利な特徴を有するものとして説明したが、そのような特徴のうちの1つまたは複数も、本明細書で説明する様々な実施形態のいずれかに従って使用され得る。同様に、例示的な実施形態について、デバイス実施形態、システム実施形態、または方法実施形態として本明細書で説明したが、そのような例示的な実施形態は、様々なデバイス、システム、および方法において実装され得ることを理解されたい。
【００６１】
また、少なくともいくつかの実装形態については、フローチャート、流れ図、構造図、またはブロック図として表されるプロセスとして説明したことに留意されたい。フローチャートでは動作を逐次プロセスとして説明する場合があるが、動作の多くは並行して実施されてもあるいは一斉に実施されてもよい。加えて、動作の順序は並べ替えられてもよい。プロセスは、その動作が完了したとき、終了する。プロセスは、方法、関数、プロシージャ、サブルーチン、サブプログラムなどに対応する場合がある。プロセスが関数に相当するとき、その終了は、その関数が呼び出し関数またはメイン関数に戻ることに相当する。本明細書で説明する様々な方法は、プロセッサ可読記憶媒体に記憶され、1つまたは複数のプロセッサ、機械および/またはデバイスによって実行され得るプログラミング(たとえば、命令および/またはデータ)によって、部分的にまたは完全に実装され得る。
【００６２】
当業者は、本明細書で開示する実施形態に関して説明する様々な例示的な論理ブロック、モジュール、回路、およびアルゴリズムステップは、ハードウェア、ソフトウェア、ファームウェア、ミドルウェア、マイクロコード、またはそれらの任意の組合せとして実装され得ることをさらに諒解されよう。この互換性を明確に示すために、様々な例示的な構成要素、ブロック、モジュール、回路、およびステップについて、全般的にそれらの機能に関して上記で説明した。そのような機能がハードウェアとして実装されるか、ソフトウェアとして実装されるかは、特定の用途およびシステム全体に課せられる設計制約によって決まる。
【００６３】
本明細書で説明し、添付の図面に示す例に関連付けられた様々な特徴は、本開示の範囲から逸脱することなく、異なる例および実装形態において実装され得る。したがって、いくつかの特定の構成および配置について説明し、添付の図面に示したが、説明する実施形態への様々な他の追加および修正、ならびに説明する実施形態からの削除が当業者には明らかであるので、そのような実施形態は例示にすぎず、本開示の範囲を制限するものではない。したがって、本開示の範囲は、以下の特許請求の範囲の文言、および法的均等物によってのみ決定される。
【符号の説明】
【００６４】
104  アクセス端末
106A  カバレージエリア
106B  カバレージエリア
106C  カバレージエリア
200  ワイヤレス通信ネットワーク
202  基地局
204  カバレージエリア
206  アクセス端末
208  アクセス端末
210  ワイヤレス通信シンボル
212  アクセス端末
214  アクセス端末
216  ワイヤレス通信シンボル
218  ワイヤレス通信シンボル
220  ワイヤレス通信シンボル
222  ワイヤレス通信シンボル
224  ワイヤレス通信シンボル
226  ワイヤレス通信シンボル
228  カバレージエリア
402  ワイヤレスデバイスA
506  ワイヤレスデバイスB
508  ワイヤレスデバイスC
516  ワイヤレスデバイスD
522  ワイヤレスデバイスE
【図１】
0006724034.tif 000002
【図２】
0006724034.tif 000003
【図３】
0006724034.tif 000004
【図４】
0006724034.tif 000005
【図５】
0006724034.tif 000006
【図６】
0006724034.tif 000007
【図７】
0006724034.tif 000008
【図８】
0006724034.tif 000009